(57)【要約】【課題】映像配信装置から多数の映像受信装置に映像を配信すること。【解決手段】映像配信装置２は、撮像部２６が撮像した映像から静止画と動画を生成する映像生成部２４を備える。また、映像配信装置２は、第１の伝送方式を用いて、１つ又は複数の映像受信装置が受信要求する静止画を配信するＷＥＢサーバに、所定の時間間隔で静止画を送信する静止画送信部２２を備える。また、映像配信装置２は、第２の伝送方式を用いて、１つ又は複数の映像受信装置が受信要求する動画の伝送路を確立するＳＩＰシグナリング部２３を備える。また、映像配信装置２は、動画の受信を要求する１つ又は複数の映像受信装置にマルチキャストで動画を一定時間配信する動画送信部２１を備える。【選択図】図２
2009278275.tif 000002
【特許請求の範囲】
【請求項１】
撮像部が撮像した映像から静止画と動画を生成する映像生成部と、
第１の伝送方式を用いて、静止画または動画を受信する映像受信装置に前記静止画を配信するサーバに対して、前記静止画を送信する静止画送信部と、
第２の伝送方式を用いて、１つ又は複数の前記映像受信装置が受信要求する前記動画の伝送路を確立するシグナリング部と、
前記１つ又は複数の映像受信装置にマルチキャストで前記動画を一定時間配信する動画送信部と、を備える
映像配信装置。
【請求項２】
請求項１記載の映像配信装置において、
前記映像生成部は、
前記静止画送信部が要求する前記静止画を、前記撮像部が撮像した映像から所定の時間間隔で生成し、
前記動画送信部が要求する前記動画を、前記映像から前記一定時間生成する
映像配信装置。
【請求項３】
請求項２記載の映像配信装置において、
前記動画送信部が前記１つ又は複数の受信装置にマルチキャストで前記動画を配信する場合に、前記シグナリング部によって前記伝送路を切断するまでの前記一定時間を計り、前記一定時間が経過すると、前記シグナリング部に前記伝送路の切断を要求するタイマ部を備える
映像配信装置。
【請求項４】
請求項３記載の映像配信装置において、
前記シグナリング部は、前記タイマ部から前記伝送路の切断を要求されると、前記伝送路を切断し、前記映像生成部に対して前記動画の生成停止を要求し、
前記映像生成部は、前記シグナリング部から前記動画の生成停止を要求されると、前記動画の生成を停止する
映像配信装置。
【請求項５】
撮像して得た映像から静止画と動画を生成し、
第１の伝送方式を用いて、静止画または動画を受信する映像受信装置に前記静止画を配信するサーバに対して、所定の時間間隔で前記静止画を送信し、
第２の伝送方式を用いて、１つ又は複数の前記映像受信装置が受信要求する前記動画の伝送路を確立し、
前記１つ又は複数の前記映像受信装置にマルチキャストで前記動画を一定時間配信する
映像配信方法。
【請求項６】
静止画と動画を配信する映像配信装置から前記静止画を受信し、配信要求を受けた端末に前記静止画を配信するサーバから、第１の伝送方式を用いて、前記静止画を受信する静止画受信部と、
第２の伝送方式を用いて、前記映像配信装置が配信する前記動画の伝送路を確立するシグナリング部と、
前記映像配信装置からマルチキャストで前記動画を受信する動画受信部と、
受信した前記静止画と前記動画を表示する表示部に、前記静止画受信部から受信した前記静止画を前記表示部に表示させ、前記動画受信部から受信した前記動画を前記表示部に表示させる表示制御部と、を備える
映像受信装置。
【請求項７】
請求項６記載の映像受信装置において、
前記表示制御部は、前記動画の受信要求をする場合に、前記シグナリング部に前記伝送路の確立を要求し、
前記シグナリング部は、前記映像配信装置に前記伝送路の確立を要求すると、前記動画受信部に前記動画の受信開始を応答し、
前記動画受信部は、前記確立された伝送路を介して前記動画を受信し、
前記表示制御部は、前記表示部に表示する前記静止画を前記動画に切り替える
映像受信装置。
【請求項８】
請求項７記載の映像受信装置において、
前記シグナリング部は、前記映像配信装置によって前記伝送路が切断されると、前記動画受信部に前記動画の受信停止を要求し、
前記動画受信部は、前記動画の受信を停止し、
前記表示制御部は、前記前記表示部に表示される前記動画を前記静止画に切り替える
映像受信装置。
【請求項９】
請求項８記載の映像受信装置において、
前記静止画と動画のうち、いずれかの受信要求を選択操作する操作部を備える
映像受信装置。
【請求項１０】
第１の伝送方式を用いて、静止画と動画を生成する映像配信装置から受信した前記静止画を配信するサーバから、所定の時間間隔で前記静止画を受信し、
第２の伝送方式を用いて、前記映像配信装置が配信する前記動画の伝送路を確立し、
前記映像配信装置からマルチキャストで前記動画を一定時間受信し、
受信した前記静止画を前記所定の時間間隔で表示部に表示させ、受信した前記動画を前記表示部に前記一定時間表示させる
映像受信方法。
【発明の詳細な説明】
【技術分野】
【０００１】
本発明は、例えばＮＧＮ（Next Generation Network：次世代ネットワーク)と称される電話網を利用した映像配信に適用して好適な映像配信装置、映像配信方法、映像受信装置及び映像受信方法に関する。
【背景技術】
【０００２】
従来、複数の端末に対して映像を配信する場合に、通信を制御するプロトコルとしてＳＩＰ（Session Initiation Protocol）を利用する技術がある。近年は、ＳＩＰを利用して音声や動画を配信可能な通信回線（一般に、次世代ネットワークと呼ばれており、ＮＧＮと略称される。）が実用化されつつある。ＮＧＮは、音声通話用の電話網をＩＰ（Internet Protocol）プロトコルを利用したＩＰ電話化すると共に、インターネットへの接続もできる構成としてある。さらに、放送網などの各コンテンツデータを提供する網への接続も可能として、ストリーミング・サービスの端末への提供も可能としてある。
【０００３】
ストリーミング・サービスを行う場合には、そのサービスを提供するコンテンツ提供サーバを、ＮＧＮに接続する。そして、そのコンテンツ提供サーバからＮＧＮで端末に対して、配信用に用意されたマルチキャスト伝送の仕組みを利用して、ＮＧＮに接続された多数の端末に対して同時に配信を行う。このようなコンテンツ提供サーバを設けることで、例えば放送波を、ＮＧＮを利用して再送させて、放送波の届かない難視聴エリアの端末へ配信することが可能となる。また、ＮＧＮに接続されたコンテンツ提供サーバが、独自にＮＧＮを利用した放送なども可能となり、様々なコンテンツの配信が可能となる。今後は、撮影した映像をＩＰ（Internet Protocol）パケットに分割し、ＮＧＮを利用して伝送するＩＰカメラを用いた映像配信サービスが提供されることが予想される。
【０００４】
特許文献１には、電話機が送信側で撮像した映像をリアルタイムで相手側の表示装置へ送信しながら、相手から受けとった映像をリアルタイムで自局の表示装置に映し出す技術について記載されている。
【特許文献１】特開２００５−２９４９９３号公報
【発明の開示】
【発明が解決しようとする課題】
【０００５】
しかし、１台のＩＰカメラだけでは、同時に映像を配信できる端末の数や映像の数が限られる。このため、１台のＩＰカメラだけを用いて、多数の端末が要求する映像を同時に配信する大規模配信システムに用いることは難しい。さらに、複数のＩＰカメラで撮像した映像を別の配信装置に集め、各端末が要求した映像を配信する配信システムを構築しても、この配信装置に同時に接続できる端末の数に限りがある。このため、大規模配信が難しい。
【０００６】
また、帯域に制限があることから高画質で撮像された静止画や動画を配信することは難しい。このため、例えば、監視用に設置した複数台のＩＰカメラからリアルタイムでデータを受信しようとしても、動画のデータ量が大きいため、再生動画がコマ落ちし、静止画を連続して送れないことがあった。
【０００７】
本発明はこのような状況に鑑みて成されたものであり、映像配信装置から多数の映像受信装置に映像を配信することを目的とする。
【課題を解決するための手段】
【０００８】
本発明は、撮像部が撮像した映像から静止画と動画を生成し、第１の伝送方式を用いて、１つ又は複数の映像受信装置が受信要求する静止画を配信するサーバに所定の時間間隔で静止画を送信する。そして、第２の伝送方式を用いて、１つ又は複数の映像受信装置が受信要求する動画の伝送路を確立し、動画の受信を要求する１つ又は複数の映像受信装置にマルチキャストで動画を一定時間配信する。
【０００９】
また、本発明は、第１の伝送方式を用いて、静止画と動画を生成する映像配信装置から受信した静止画を配信するサーバから、所定の時間間隔で静止画を受信する。そして、第２の伝送方式を用いて、映像配信装置が配信する動画の伝送路を確立し、映像配信装置からマルチキャストで動画を一定時間受信する。そして、受信した静止画を所定の時間間隔で更新されるように表示部に表示させ、受信した動画を表示部に一定時間表示する。
【００１０】
このようにしたことで、映像配信装置は、動画または静止画を切り替えて映像受信装置に配信することが可能となった。
【発明の効果】
【００１１】
本発明によれば、映像配信装置は、動画または静止画を切り替えて映像受信装置に配信する場合に、異なる伝送方式を用いる。このとき、映像配信装置は、第１の伝送方式を用いて、静止画を所定の時間間隔でサーバを介して映像受信装置に配信し、静止画に比べて画像サイズが小さい動画は第２の伝送方式を用いて確立した伝送路を通じ、一定時間映像受信装置に配信する。このため、映像配信装置に多数の映像受信装置が静止画または動画の受信要求をしても、映像配信装置の負荷を分散することができ、各映像受信装置は所望の映像を見やすくなるという効果がある。
【発明を実施するための最良の形態】
【００１２】
以下、本発明の一実施の形態例について、添付図面を参照して説明する。
本実施の形態においては、ＮＧＮと称される次世代型の電話回線ネットワークに接続されるシステムとして構成したものである。ＮＧＮは、主として光ファイバで接続した大容量のデータ転送が行える電話回線によるネットワークであり、音声通話などの通常の電話用回線の他に、マルチキャストなどの配信処理で、比較的データ容量の大きなコンテンツの配信が行える構成としてある。
【００１３】
図１は、本実施の形態による映像配信システム１の構成例を示す概略図である。
本実施の形態例では、複数台の端末に映像を配信可能な映像配信システム１に適用した例について説明する。以下の説明において、「映像」には、静止画または動画が含まれるものとする。
映像配信システム１は、静止画と動画を配信する映像配信装置２と、映像配信装置２から供給される映像を再生する映像受信装置３と、映像配信装置２が撮像した静止画を保存し、配信要求を受けた映像受信装置３に静止画を配信するＷＥＢサーバ４と、を備える。ＷＥＢサーバ４は、映像配信装置２から静止画を受信し、１つ又は複数の映像受信装置３から静止画の受信要求を受ける。一方、映像配信装置２は、１つ又は複数の映像受信装置３から動画の受信要求を受ける。映像配信装置２と映像受信装置３は、図示しないＳＩＰサーバ、プロキシサーバを介してＳＩＰセッションを確立すると、互いにデータを送受信できる。
【００１４】
映像配信装置２は、例えば、街角、商店内等に設置された監視カメラ（ＩＰカメラを使用）が撮影した映像から動画または静止画を生成して映像受信装置３に配信する。映像配信装置２は、撮像部２６が撮像した映像のうち、静止画を第１の伝送方式でＷＥＢサーバ４にアップロードし（経路１１）、動画を第２の伝送方式で映像受信装置３に配信する（経路１３）。本例では、第１の伝送方式をＨＴＴＰとし、第２の伝送方式をＳＩＰとする。
【００１５】
映像配信装置２は、ＷＥＢサーバ４に静止画をアップロードする。ＷＥＢサーバ４にアップロードされた静止画は、大容量の記録装置である保存部４１に保存される。ＷＥＢサーバ４には、一定時間毎に静止画がアップロードされる。
【００１６】
一方、映像配信装置２と映像受信装置３がＳＩＰでセッションを確立すると、経路１３に示すように映像配信装置２から映像受信装置３に動画が直接配信される。映像受信装置３に配信される動画は、映像受信装置３が映像配信装置２から動画を受信しながら再生するストリーミング再生が行われる。
【００１７】
映像受信装置３は、映像を表示する表示部３６（後述の図３参照）に映像配信装置２またはＷＥＢサーバ４から受信した映像を再生表示する。映像配信装置２が送信する映像には、映像配信装置２が備えるマイクロホン（不図示）によって収音された音声情報が付加されており、映像受信装置３は音声を再生することも可能である。
【００１８】
映像受信装置３は、ＷＥＢサーバ４にアップロードされた静止画を一定時間毎にダウンロードして（経路１２）、再生する静止画を自動更新する。そして、ユーザが要求すると、ＳＩＰでセッションを確立して、表示部３６に映し出す映像を静止画から動画に切り替える。一定時間が経過すると、自動的にＳＩＰセッションを切断し、表示部３６を静止画の自動更新に切り替える。
【００１９】
ここで、ＮＧＮについて説明する。
ＮＧＮは、プロトコルにＳＩＰを用いて通信を制御することが可能なネットワークである。ＮＧＮは、別々に構築されているインターネットサービス用ＩＰネットワークと電話サービス用の電話網を、ＩＰ技術を用いてＱｏＳ（Quality of Service）やセキュリティを向上させたＩＰ通信網として統合し、現行の公衆網を代替する次世代ＩＰネットワークである。電話だけでなくテレビ放送もＩＰネットワークで統一的に提供しようとする動きも進められている。
【００２０】
ＳＩＰは、セッションを開設するため、通信相手を特定する機能と、発信／着信／切断の機能を提供している。ＳＩＰはメッセージすなわち通信データをテキスト形式で表現する。このＳＩＰを用いたシステムは、大きくユーザ・エージェントとＳＩＰサーバから構成される。ユーザ・エージェントは、いわゆるＩＰ（Internet Protocol）電話の機能を持つＰＣなどのＳＩＰ端末のことである。このユーザ・エージェントは、リクエストを送信する機能を持つユーザ・エージェント・クライアントと、リクエストに応答する機能を持つユーザ・エージェント・サーバにより構成される。
【００２１】
そして、ＳＩＰは、電話ネットワークをＩＰネットワークに統合するために必要な技術として検討されてきた経緯がある。したがって、ＳＩＰのシステムの重要な機能として、ＩＰ電話を始めとする様々なＩＰネットワーク・アプリケーションでは、従来の電話番号を利用できるＥＮＵＭ（E.164 Number Mapping）がある。
【００２２】
ＥＮＵＭの標準化は、ＩＥＴＦとＩＴＵ−Ｔが共同して作業を進めている。ＥＮＵＭとＳＩＰの連携ということでは、ＳＩＰ端末によるＥＮＵＭ検索と、ＳＩＰサーバによるＥＮＵＭ検索がある。
【００２３】
ＥＮＵＭは、電話番号をネット上のアドレスやサービスと対応づけ、アクセス手段として利用する技術である。ＩＴＵ−Ｔ(国際電気通信連合)が定めた国際的に一意な電話番号体系(「Ｅ１６４」と呼ばれる)と特殊なドメイン領域(「.e164.arpa」のサブドメイン)をＤＮＳ（Domain Name System）で対応させることにより、電話番号とネットワーク上のサービスやアドレスを対応させている。１つの番号に対応させるアドレスなどは複数でもよい。
【００２４】
例えば、自分の電話番号をＥＮＵＭで電子メールアドレスやＦＡＸ番号、ＷｅｂサイトのＵＲＬなどと対応させておけば、電話番号が自分へのアクセス手段の統一的な識別番号として利用できるようになる。例えば「03-1234-5678」という電話番号に対応するＥＮＵＭ（Ｅ１６４番号）のドメイン名は、先頭の０を日本の国番号８１で置換して逆順に並べた「8.7.6.5.4.3.2.1.3.1.8.e164.arpa」となる。
【００２５】
このようなＥＮＵＭの機能によって、ユーザは特に意識することなく従来の電話番号を使用して、様々なＩＰネットワーク・アプリケーションを利用できる。
【００２６】
図２は、映像配信装置２の内部構成例を示す。
映像配信装置２は、動画を送信する動画送信部２１と、静止画を送信する静止画送信部２２と、映像受信装置３が受信要求する動画を配信するための伝送路となるＳＩＰセッションを確立したり、切断したりするＳＩＰシグナリング部２３を備える。また、映像配信装置２は、撮像部２６が撮像した映像から静止画または動画を生成する映像生成部２４と、時間を計測するタイマ部２５を備える。撮像部２６は、例えば、レンズ等の光学系を搭載したブロックであり、被写体を不図示のＣＣＤに結像させてデジタル画像を生成する。
【００２７】
映像生成部２４は、静止画送信部２２が要求する静止画を所定の時間間隔毎に生成する。また、映像生成部２４は、動画送信部２１が１つ又は複数の映像受信装置が要求する動画を一定時間生成する。映像生成部２４が動画を生成する時間は、時タイマ部２５によって指示される。映像生成部２４が映像を生成する際にエンコードする圧縮方式として、例えば、動画にはＭＰＥＧ（Moving Picture Experts Group）２を用い、静止画にはＪＰＥＧ（Joint Photographic Experts Group）を用いる。
【００２８】
動画送信部２１は、第２の伝送方式（ＳＩＰ）を用いて、映像受信装置３にマルチキャストで動画を一定時間配信する。静止画送信部２２は、第１の伝送方式（ＨＴＴＰ：Hypertext Transfer Protocol）を用いて、ＷＥＢサーバ４に所定の時間間隔で静止画を送信する。タイマ部２５は、ＷＥＢサーバ４に静止画を送信する時間間隔を静止画送信部２２に指示する。また、タイマ部２５は、動画送信部２１が１つ又は複数の映像受信装置３にマルチキャストで動画を配信する場合に、ＳＩＰシグナリング部２３が確立したＳＩＰセッションを切断するまでの一定時間を計る。そして、タイマ部２５は、一定時間が経過すると、ＳＩＰシグナリング部２３にＳＩＰセッションの切断を要求する。
【００２９】
ＳＩＰシグナリング部２３は、タイマ部２５からＳＩＰセッションの切断を要求されると、ＳＩＰセッションを切断し、映像生成部２４に対して動画の生成停止を要求する。映像生成部２４は、ＳＩＰシグナリング部２３から動画の生成停止を要求されると、動画の生成を停止する。
【００３０】
図３は、映像受信装置３の内部構成例を示す。
映像受信装置３は、動画を受信するための動画受信部３１、静止画を受信するための静止画受信部３２、映像配信装置２に対して動画を送信する伝送路となるＳＩＰセッションを確立したり、切断したりするＳＩＰシグナリング部３３を備える。また、映像受信装置３は、ユーザが違和感を生じることなく表示部３６に表示する動画又は静止画を切り替える表示制御部３４と、ユーザが表示部３６に表示されたアイコン、メニュー等を選択して操作を指示するための操作部３５を備える。操作部３５は、ユーザの操作によって、静止画と動画のうち、いずれかの受信要求を選択操作することができる。
【００３１】
静止画受信部３２は、ＷＥＢサーバ４から第１の伝送方式（ＨＴＴＰ）で静止画をダウンロードする。表示制御部３４は、映像配信装置２に動画の受信要求をする場合に、ＳＩＰシグナリング部３３にＳＩＰセッションの確立を要求する。また、ＳＩＰシグナリング部３３は、映像配信装置２に対して、第２の伝送方式（ＳＩＰ）でＳＩＰセッションを確立する。そして、動画受信部３１は、映像配信装置２がマルチキャスト配信する動画を受信する。表示制御部３４は、静止画受信部３２が受信した静止画または動画をデコードする。そして、表示制御部３４は、デコードした静止画または動画を表示部３６に表示させる。このとき、表示制御部３４は、表示部３６に表示させる静止画または動画を切り替え制御する。
【００３２】
以下に、映像配信システム１が行う動作の例について概略を説明する。
始めに、映像配信装置２は、一定時間毎に撮像部２６で静止画を撮像し、ＨＴＴＰでＷＥＢサーバ４に静止画をアップロードする。そして、映像受信装置３は、ＷＥＢサーバ４に一定時間毎にアクセスし、取得した静止画を表示部３６に表示する。
【００３３】
一方、映像受信装置３は、ユーザの操作を受け付けると、映像配信装置２に対してＳＩＰセッションの確立を要求する。映像配信装置２と映像受信装置３の間でＳＩＰセッションが確立されると、映像配信装置２は、動画を映像受信装置３にストリーミング送信する。映像受信装置３が動画を受信すると、静止画を動画に切り替えて表示部３６に表示させる。ＳＩＰセッションが確立して一定時間が経過すると、映像配信装置２または映像受信装置３がセッションを切断する。ＳＩＰセッションを切断すると、表示制御部３４は、表示部３６に表示される動画を静止画に切り替える。
【００３４】
次に、各装置が行う処理の例について順に説明する。
図４は、映像配信装置２が静止画をアップロードする処理の例を簡略化して示す。
始めに、映像生成部２４は、静止画を生成し、静止画送信部２２に送る（ステップＳ１）。そして、静止画送信部２２は、ＨＴＴＰを用いて、ＷＥＢサーバ４に静止画を送信する（ステップＳ２）。静止画を送信する際には、ＣＧＩ（Common Gateway Interface）やＲＥＳＴ（REpresentational State Transfer）、ＳＯＡＰ（Simple Object Access Protocol）等を採用した技術が用いられる。
【００３５】
ＷＥＢサーバ４は、保存部４１に静止画送信部２２から受信した静止画を保存する（ステップＳ３）。このとき静止画は、映像配信装置２毎に決められたディレクトリに、決められたファイル名（例えば、更新日付、機械番号、シーケンス番号が含まれる名称）で保存される。ユーザは、映像受信装置３を用いて、静止画が保存される位置が定まる特定のＵＲＬにアクセスすると、ＷＥＢサーバ４から静止画をダウンロードできる。
【００３６】
以後、ステップＳ２，Ｓ３の処理を一定時間毎に繰り返す。そして、映像配信装置２は、静止画を作成する度に、ＷＥＢサーバ４に静止画をアップロードする。
【００３７】
図５は、図４で示した処理について、各ブロックが行う処理の要求と応答に着目して詳細化して示す。ここでは、映像配信装置２がＷＥＢサーバ４に静止画をアップロードする処理の例について説明する。
【００３８】
始めに、静止画送信部２２は、映像生成部２４に静止画の生成を要求する（ステップＳ１１）。映像生成部２４は、要求を受けて所定の時間間隔で静止画を生成する（ステップＳ１２）。そして、映像生成部２４は、静止画送信部２２に静止画を生成したことを応答するとともに、生成した静止画を静止画送信部２２に送る（ステップＳ１３）。静止画送信部２２は、映像生成部２４から受け取った静止画を、ＨＴＴＰを用いてＷＥＢサーバ４にアップロードする（ステップＳ１４）。
【００３９】
ＷＥＢサーバ４は、アップロードされた静止画を保存部４１に保存する（ステップＳ１５）。そして、保存部４１に正常に保存されたことを静止画送信部２２に応答する（ステップＳ１６）。その後、一定時間毎に、静止画をアップロードし、保存部４１に保存する処理を繰り返す。
【００４０】
図６は、映像受信装置３が静止画をダウンロードする処理の例を簡略化して示す。
始めに、静止画受信部３２は、閲覧したい映像配信装置２の静止画が保存されているＵＲＬ（Uniform Resource Locator）にアクセスする。（ステップＳ２１）。そして、ＷＥＢサーバ４は、保存部４１から静止画を読み出す（ステップＳ２２）。
【００４１】
次に、ＷＥＢサーバ４は、読み出した静止画を映像受信装置３に送信する（ステップＳ２３）。そして、表示制御部３４は、受信した静止画を表示する（ステップＳ２４）。
【００４２】
以後、ステップＳ２１〜Ｓ２３の処理を一定時間サイクルで繰り返す。そして、一定時間毎にＷＥＢサーバ４から受信する最新の静止画を表示部３６に表示する。
【００４３】
図７は、図６で示した処理について、各ブロックが行う処理の要求と応答に着目して詳細化して示す。ここでは、映像受信装置３がＷＥＢサーバ４から静止画をダウンロードする処理の例について説明する。以下の処理において、映像受信装置３は、予めＷＥＢサーバ４に指定されたＵＲＬにアクセスしている状態である。
【００４４】
始めに、静止画受信部３２は、ＷＥＢサーバ４に静止画のダウンロードを要求する（ステップＳ４１）。そして、静止画受信部３２は、ＷＥＢサーバ４が保存部４１から読み出した静止画をダウンロードする（ステップＳ４２）。
【００４５】
次に、表示制御部３４は、静止画受信部３２にダウンロードした静止画の取得を要求する（ステップＳ４３）。そして、表示制御部３４は、静止画受信部３２から静止画を取得し（ステップＳ４４）、表示部３６に静止画を表示する（ステップＳ４５）。
以下、ステップＳ４１〜Ｓ４５の処理を繰り返す。
【００４６】
図８は、映像受信装置３が表示する映像を、静止画から動画に切り替える処理の例を簡略化して示す。なお、破線で示す矢印は、静止画を送受信する場合の経路である。
【００４７】
始めに、映像配信装置２のＳＩＰシグナリング部２３と映像受信装置３のＳＩＰシグナリング部２３の間でセッションを確立する（ステップＳ５１）。セッション確立後、映像配信装置２のＳＩＰシグナリング部２３は、動画送信部２１に動画の送信開始を要求する（ステップＳ５２）。
【００４８】
次に、動画送信部２１は、映像生成部２４に動画の生成開始を要求するし、映像生成部２４から生成された動画を取得する（ステップＳ５３）。そして、動画送信部２１は、映像受信装置３に動画を送信する（ステップＳ５４）。
【００４９】
次に、動画受信部３１は、動画送信部２１から受信した動画を表示制御部３４に送る（ステップＳ５５）。その後、表示制御部３４は、動画受信部３１から受信した動画を表示部３６に表示させるため、表示部３６が表示する映像を静止画から動画に切り替える。
【００５０】
図９は、図８で示した処理について、各ブロックが行う処理の要求と応答に着目して詳細化して示す。ここでは、映像受信装置３が映像配信装置２から動画をダウンロードする処理の例について説明する。
【００５１】
始めに、表示制御部３４は、映像配信装置２から動画を受信するため、ＳＩＰセッションの確立を発信する（ステップＳ６１）。ＳＩＰセッションの確立要求は、表示制御部３４からＳＩＰシグナリング部３３に送信される（ステップＳ６２）。
【００５２】
映像受信装置３のＳＩＰシグナリング部３３は、映像配信装置２のＳＩＰシグナリング部２３にＳＩＰセッションの確立を要求する（ステップＳ６３）。ＳＩＰシグナリング部２３は、ＳＩＰシグナリング部３３にＳＩＰセッションを確立したことを応答する（ステップＳ６４）。
【００５３】
映像受信装置３のＳＩＰシグナリング部３３は、ＳＩＰシグナリング部２３からＳＩＰセッションを確立したことが応答されると、動画受信部３１に動画の受信開始を要求する（ステップＳ６５）。そして、動画受信部３１は、動画の受信を開始し（ステップＳ６６）、動画の受信を開始したことをＳＩＰシグナリング部３３に応答する（ステップＳ６７）。
【００５４】
また、動画受信部３１は、表示制御部３４に対して表示部３６に表示する映像を静止画から動画に切り替えるよう表示の切り替えを要求する（ステップＳ６８）。表示制御部３４は、動画受信部３１から表示の切り替えが要求されると、表示部３６の表示を静止画から動画に切り替える（ステップＳ６９）。そして、表示制御部３４は、表示部３６の表示を静止画から動画に切り替えたことを動画受信部３２に応答する（ステップＳ７０）。
【００５５】
一方、ＳＩＰセッションの確立要求を受けた映像配信装置２のＳＩＰシグナリング部２３は、動画送信部２１に動画の送信開始を要求する（ステップＳ７１）。動画送信部２１は、ＳＩＰシグナリング部３３から動画の送信開始が要求されると、映像生成部２４に動画の生成開始を要求する（ステップＳ７２）。
【００５６】
映像生成部２４は、動画送信部２１から動画の生成開始が要求されると、動画を一定時間生成する（ステップＳ７３）。そして、映像生成部２４は、動画の生成を開始したことを動画送信部２１に応答し（ステップＳ７４）、生成した動画を動画送信部２１に送る。
【００５７】
動画送信部２１は、映像生成部２４が動画の生成を開始したことをＳＩＰシグナリング部２３に応答する（ステップＳ７５）。ＳＩＰシグナリング部２３は、動画送信部２１から動画の生成を開始したことが応答されると、動画の配信を一定時間で停止するための切断タイマの設定をタイマ部２５に要求する（ステップＳ７６）。
【００５８】
タイマ部２５は、一定時間にＳＩＰセッションを切断する切断タイマを設定し（ステップＳ７７）、ＳＩＰシグナリング部２３に応答を返す（ステップＳ７８）。ここで設定される切断タイマは、例えば、１分間としている。
【００５９】
また、動画送信部２１は、映像生成部２４から動画の生成を開始した応答を受けると、映像受信装置３へ動画送信を開始する（ステップＳ７９）。そして、動画送信部２１は、一定時間だけ動画を映像受信装置３に送信し続ける（ステップＳ８０）。映像受信装置３の動画受信部３１は、動画配信装置２から受信した動画データを表示制御部３４に送る（ステップＳ８１）。表示制御部３４は、表示部３６に動画を表示する。
【００６０】
図１０は、映像受信装置３が表示する映像を、動画から静止画に切り替える処理の例を簡略化して示す。なお、破線で示す矢印は、静止画を送受信する場合の経路である。
【００６１】
始めに、映像配信装置２のＳＩＰシグナリング部２３と映像受信装置３のＳＩＰシグナリング部３３の間に確立されたＳＩＰセッションを切断する（ステップＳ９１）。ＳＩＰセッションの切断後、映像配信装置２のＳＩＰシグナリング部２３は、動画送信部２１に動画の送信停止を要求する（ステップＳ９２）。そして、動画送信部２１は、映像生成部２４に静止画と動画を含む映像の生成中止を要求する（ステップＳ９３）。
【００６２】
一方、映像受信装置３のＳＩＰシグナリング部３３は、動画受信部３１に動画の受信停止を要求する（ステップＳ９４）。そして、動画受信部３１は、表示制御部３４に表示する映像を動画から静止画に切り替えを要求する（ステップＳ９５）。その後、表示制御部３４は、静止画受信部３２から受信した静止画を表示部３６に表示させるため、表示部３６が表示する映像を動画から静止画に切り替える。
【００６３】
ＳＩＰセッションは、セッション確立して一定時間が経過した後に、ユーザが操作を行うことなく自動的に切断される。ただし、ＳＩＰセッションの切断を要求する装置は、映像配信装置２または映像受信装置３のいずれでもよい。
【００６４】
図１１は、図１０で示した処理について、各ブロックが行う処理の要求と応答に着目して詳細化して示す。ここでは、映像受信装置３が映像配信装置２から静止画をダウンロードする処理の例について説明する。
【００６５】
始めに、映像配信装置２のタイマ部２５は、切断タイマが満了したことを検出する（ステップＳ１０１）。この切断タイマは、例えば、１分間で設定される。次に、タイマ部２５は、ＳＩＰシグナリング部２３にＳＩＰセッションの切断を要求する（ステップＳ１０２）。
【００６６】
ＳＩＰシグナリング部２３は、映像受信装置３のＳＩＰシグナリング部３３に対して、ＳＩＰセッションの切断を要求する（ステップＳ１０３）。ＳＩＰシグナリング部３３は、ＳＩＰシグナリング部２３にＳＩＰセッションの切断を応答する（ステップＳ１０４）。
【００６７】
この応答を受けると、ＳＩＰシグナリング部２３は、動画送信部２１に動画の送信停止を要求する（ステップＳ１０５）。動画送信部２１は、映像生成部２４に動画の生成停止を要求する（ステップＳ１０６）。
【００６８】
映像生成部２４は、動画の生成を停止すると（ステップＳ１０７）、動画送信部２１に動画の生成を停止したことを応答する（ステップＳ１０８）。この応答を受けると、動画送信部２１は、映像受信装置３に対する動画の送信を停止する（ステップＳ１０９）。そして、動画送信部２１は、ＳＩＰシグナリング部２３に動画を送信したことを応答する（ステップＳ１１０）。
【００６９】
一方、映像受信装置３のＳＩＰシグナリング部３３は、ＳＩＰシグナリング部２３からＳＩＰセッションの切断要求を受けると、動画受信部３１に動画の受信停止を要求する（ステップＳ１１１）。この要求を受けると、動画受信部３１は、動画の受信を停止する（ステップＳ１１２）。そして、動画受信部３１は、ＳＩＰシグナリング部３３に動画の受信を停止したことを応答する（ステップＳ１１３）。
【００７０】
次に、動画受信部３１は、表示制御部３４に表示部３６に表示させる映像を動画から静止画に切り替えを要求する（ステップＳ１１４）。表示制御部３４は、静止画受信部３２から受信した静止画を表示部３６に表示させるため、表示部３６が表示する映像を動画から静止画に切り替える（ステップＳ１１５）。そして、表示制御部３４は、動画受信部３１に表示部３６が表示する映像を切り替えたことを応答する（ステップＳ１１６）。
【００７１】
以上説明した本実施の形態例に係る映像配信システム１によれば、第１の伝送方式を用いた静止画の配信と、第２の伝送方式を用いた動画の配信を組み合わせて、多数の映像受信装置３に映像を配信できる。具体的には、映像配信装置２が静止画を定期的にＷＥＢサーバ４にアップロードする。映像受信装置３はＷＥＢサーバ４にアップロードされた静止画をＨＴＴＰで自動更新しつつ視聴する。そして、映像配信装置２は、映像受信装置３から動画の視聴要求を受けると映像受信装置３に対してＳＩＰセッションを確立し、動画を配信する。このように、映像配信装置２は、経路を異ならせて、静止画または動画を配信するため、映像配信装置２の負荷を減らせるという効果がある。
【００７２】
また、映像配信装置２は、映像受信装置３が連続して動画を視聴することを避けるため、動画の配信を一定時間が経過すると、タイマ部２５の指示によって、ＳＩＰセッションを切断する。このとき、映像生成部２４が生成する映像を動画から静止画に戻す。また、映像配信装置２に配信される映像は、動画から静止画に変わるため、動画の受信を要求する映像受信装置３以外には、動画が送信されず、ユーザが視聴する動画の視聴時間も短くなる。このため、ＳＩＰセッションが確立される通信回線の帯域が圧迫されず、映像配信装置２の負荷を低減しつつ、多くの映像受信装置３に映像を配信できる。
【００７３】
また、映像受信装置３は、ユーザが希望するタイミングで表示部３６に表示させる映像を静止画から動画に切り替えて受信する。このため、映像受信装置３は、通常、高解像度でデータ量が大きい静止画を受信し、必要に応じて、静止画より低解像度であるが１フレーム毎のデータ量が小さい動画を受信できるため、通信回線の帯域を圧迫しない。
【００７４】
また、受信要求された映像は、静止画と動画が切り替わる。このとき、動画を配信する時間は切断タイマによって設定される。そして、切断タイマが満了すると、自動的に静止画を送信する。通常、通信回線の帯域は限られており、多数の端末が動画を配信要求すると動画がコマ落ちしたり、動画の配信ができなくなったりする。このような課題を解決するため、静止画と動画の配信経路を別としている。ＷＥＢサーバ４には静止画を保存し、このＵＲＬにアクセスした端末に対して静止画を配信する。このとき、配信する静止画は高精細画像としてもよい。
【図面の簡単な説明】
【００７５】
【図１】本発明の一実施の形態例における映像配信システムの例を示す構成図である。
【図２】本発明の一実施の形態例における映像配信装置の内部構成例を示すブロック図である。
【図３】本発明の一実施の形態例における映像受信装置の内部構成例を示すブロック図である。
【図４】本発明の一実施の形態例における静止画をアップロードする処理の例を示す説明図である。
【図５】本発明の一実施の形態例における静止画をアップロードする処理の例を示すシーケンス図である。
【図６】本発明の一実施の形態例における静止画をダウンロードする処理の例を示す説明図である。
【図７】本発明の一実施の形態例における静止画をダウンロードする処理の例を示すシーケンス図である。
【図８】本発明の一実施の形態例における静止画から動画に表示を切り替える処理の例を示す説明図である。
【図９】本発明の一実施の形態例における静止画から動画に表示を切り替える処理の例を示すシーケンス図である。
【図１０】本発明の一実施の形態例における動画から静止画に表示を切り替える処理の例を示す説明図である。
【図１１】本発明の一実施の形態例における動画から静止画に表示を切り替える処理の例を示すシーケンス図である。
【符号の説明】
【００７６】
１…映像配信システム、２…映像配信装置、３…映像受信装置、４…ＷＥＢサーバ、２１…動画送信部、２２…静止画送信部、２３…ＳＩＰシグナリング部、２４…映像生成部、２５…タイマ部、２６…撮像部、３１…動画受信部、３２…静止画受信部、３３…ＳＩＰシグナリング部、３４…表示制御部、３５…操作部、３６…表示部、４１…保存部
【図１】
2009278275.tif 000003
【図２】
2009278275.tif 000004
【図３】
2009278275.tif 000005
【図４】
2009278275.tif 000006
【図５】
2009278275.tif 000007
【図６】
2009278275.tif 000008
【図７】
2009278275.tif 000009
【図８】
2009278275.tif 000010
【図９】
2009278275.tif 000011
【図１０】
2009278275.tif 000012
【図１１】
2009278275.tif 000013